(57)【要約】【課題】意匠ベゼル部の幅寸法を小さくすることができ、意匠上優れた投射型映像装置を提供すること。【解決手段】映像を投影するスクリーン３０と、スクリーン３０の外周を保持するフレーム１０とを備え、フレーム１０は、スクリーン３０の四辺に沿ってそれぞれ延びスクリーン３０の外周縁部をくわえ込む複数のフレーム枠１１と、コーナー部にて突き合うフレーム枠１１を連結するＬ字型の連結部材１４とを有し、連結部材１４は、スクリーンの裏面に隠れる位置で、両端部をフレーム枠１１の後部に形成された袋部１２ｂに嵌合する。【選択図】        図３
2010039084.tif 000002
【特許請求の範囲】
【請求項１】
映像を投影するスクリーンと、
前記スクリーンの外周を保持するフレームと、
を備えた投射型映像装置において、
前記フレームは、
前記スクリーンの四辺に沿ってそれぞれ延び前記スクリーンの外周縁部をくわえ込む複数のフレーム枠と、
コーナー部にて突き合う前記フレーム枠を連結するＬ字型の連結部材とを有し、
前記連結部材は、前記スクリーンの裏面に隠れる位置で、両端部を前記フレーム枠の後部に形成された袋部に嵌合する
ことを特徴とする投射型映像装置。
【請求項２】
前記フレーム枠は、押出し成形により作製される
ことを特徴とする請求項１に記載の投射型映像装置。
【請求項３】
前記袋部は、前記連結部材の周囲を囲む閉じた断面形状を成す
ことを特徴とする請求項１または２に記載の投射型映像装置。
【発明の詳細な説明】
【技術分野】
【０００１】
本発明は、投射型映像装置に関するものであり、特にスクリーンを保持するフレームの意匠ベゼル部幅寸法の小型化に関するものである。
【背景技術】
【０００２】
一般に、投射型映像装置においては、映像を投影するスクリーンの外周はフレームにより支持されている。このフレームにおいては、視聴者に臨む部分であるので、意匠性に優れたものであることが要求される。また、意匠性に優れたものであることと、装置の小型化促進のために、フレームの前面枠状部である意匠ベゼル部は、できるだけ狭くすることが要求される。
【０００３】
上記要求に対応するべく、従来、種々の提案がされている。下記特許文献１の透過型スクリーン装置においては、スクリーンは、それぞれ、その上辺を上部固定枠に固定保持されて、補強板の両面に沿って、かつ接して吊設されている。そして、スクリーンの下辺には、板ばねによる下向きのテンションが幅方向に一様に付与されている。さらに、補強板の下辺が下部フレームに支持され、スクリーンおよび補強板の自重および板ばねによるテンションが下部フレームに受けられている。
【０００４】
この発明によれば、スクリーンが補強板の両面に沿って吊設されているので、スクリーンは、補強板に何等拘束されず、補強板の面上を滑るようにして伸縮できる。そして、積層体の自重、さらに保持手段を介してスクリーンに付与されるテンションが支持手段で受けられるので、フレーム上部の剛性を過度に大きくする必要がなく、フレームの小型化を図ることができる。
【０００５】
また、下記特許文献２のスクリーン保持装置においては、スクリーン枠と、このスクリーン枠の各辺に取り付き、コ字形断面とＬ字形断面とを交互に備えたブロック片と、ブロック片のコ字形断面と対応する位置に所定高さの略への字形の切起こしを備えたスクリーン押さえ部材とからなり、ブロック片のコ字形断面部にスクリーン押さえ部材の切起こし部を弾接挿嵌して、スクリーンをスクリーン枠に固定するようにしている。この発明によれば、ネジを使うことなくスクリーンの保持が容易に行え、廉価で、組み立ておよび交換作業性を向上させる。
【０００６】
【特許文献１】特開２００７−２４８７６３号公報
【特許文献２】特許第３２２５７５３号明細書
【発明の開示】
【発明が解決しようとする課題】
【０００７】
しかしながら、上記従来の技術によれば、保持手段またはスクリーン枠を構成するフレームは、プラスチックの射出成形により作製されている。しかしながら、フレームを、射出成形ではなく、アルミニウム材等の押出し成形により作製した場合、例えば、上辺のフレームと側面のフレームが突き合うコーナー部において、Ｌ字型の連結部材が必要であり、この連結部材をスクリーンと干渉させずに意匠ベゼル部の幅寸法が大きくなるという問題があった。すなわち、従来、連結部材はスクリーンの外周部でスクリーンと同一面上に配設さており、これにより、意匠ベゼル部の幅寸法が大きくなるという問題があった。
【０００８】
本発明は、上記に鑑みてなされたものであって、意匠ベゼル部の幅寸法を小さくすることができ、意匠上優れた投射型映像装置を提供することを目的とする。
【課題を解決するための手段】
【０００９】
上述した課題を解決し、目的を達成するために、本発明の投射型映像装置は、映像を投影するスクリーンと、スクリーンの外周を保持するフレームとを備えた投射型映像装置において、フレームは、スクリーンの四辺に沿ってそれぞれ延びスクリーンの外周縁部をくわえ込む複数のフレーム枠と、コーナー部にて突き合うフレーム枠を連結するＬ字型の連結部材とを有し、連結部材は、スクリーンの裏面に隠れる位置で、両端部をフレーム枠の後部に形成された袋部に嵌合することを特徴とする。
【発明の効果】
【００１０】
この発明によれば、連結部材は、スクリーンの裏面に隠れる位置で、両端部をフレーム枠の後部に形成された袋部に嵌合することにより、２本のフレーム枠を連結する。そのため、スクリーンと連結部材とは、前後方向に重なることとなり、スクリーンの外周部でスクリーンと同一面上に連結部材が配設されることがないので、意匠ベゼル部の幅寸法を従来のものより小さくすることができる。
【００１１】
この発明によれば、上記構成により、狭ベゼルの意匠を持つ投射型映像装置が得られる、という効果を奏する。また、連結部材はスクリーンに隠れて見えず、意匠的に優れた投射型映像装置が得られる、という効果を奏する。
【発明を実施するための最良の形態】
【００１２】
以下に、本発明にかかる投射型映像装置の実施の形態を図面に基づいて詳細に説明する。なお、この実施の形態によりこの発明が限定されるものではない。
【００１３】
実施の形態
図１は本発明の投射型映像装置の実施の形態を示すコーナー部の斜視図である。図２は実施の形態の投射型映像装置のフレームのコーナー部の分解構成図である。図３は実施の形態の投射型映像装置の上部の部分的な断面図である。
【００１４】
図１乃至３において、本実施の形態の投射型映像装置においては、映像を投影するスクリーン３０と、このスクリーン３０の外周を保持するフレーム１０とを有している。フレーム１０は、スクリーン３０の四辺に沿ってそれぞれ延びスクリーン３０の外周縁部を挟み込んで保持する４本のフレーム枠１１と、コーナー部にて突き合うフレーム枠１１を連結するＬ字型の連結部材１４とから構成されている。フレーム枠１１は、スクリーン３０の四辺に沿ってそれぞれ延びる４本で成るが、図１及び図２では、コーナー部にて突き合う２本のフレーム枠１１を示している。フレーム枠１１は、さらにスクリーン３０の外周縁部を覆う主フレーム枠１２と、この主フレーム枠１２の内側に配置されて主フレーム枠１２と協働してスクリーン３０の外周縁部を挟み込む保持部材１３から構成されている。フレーム１０の前面枠状部は、意匠ベゼル部１０ａを構成している。
【００１５】
主フレーム枠１２は、アルミニウム材等の押出し成形により作製されている。図３に示されるように、主フレーム枠１２は、短手方向の前面側に、内方向に開口する概略断面コ字型の保持部１２ａを形成し、短手方向の背面側に、袋状の袋部１２ｂを形成している。そして、主フレーム枠１２は、保持部１２ａ内にスクリーン３０の外周縁部を収容している。保持部１２ａ内には、保持部材１３が配置され、スクリーン３０は外周縁部をこの保持部材１３に接着剤で接着され、保持部材１３とともに図示しないネジ等の締結部材で主フレーム枠１２に固定されている。袋部１２ｂは、保持部１２ａの後に形成されており、装置の前面側から見たとき、スクリーン３０の裏面に隠れる位置に設けられている。
【００１６】
上記のように、フレーム枠１１は、四辺に沿う４本で成るが、図１及び図２では２本のフレーム枠１１のみを示している。この２本を上辺のフレーム枠１１Ａと側辺のフレーム枠１１Ｂとする。上辺のフレーム枠１１Ａと側辺のフレーム枠１１Ｂとは、図２及び図３に示すように、コーナー部にて突き合う互いの端部を４５度にカットされ、この傾斜面から挿入されて双方の袋部１２ｂに嵌合するＬ字型の連結部材１４にて連結されている。連結部材１４は、上辺のフレーム枠１１Ａと側辺のフレーム枠１１Ｂの袋部１２ｂに両端部を挿入した後、ネジ１５にて締結される。他のコーナー部においても同様である。装置の裏面は、前面的にキャビネット２０にて覆われ、ネジ１５をはじめとするスクリーンを背面の内部構造は、このキャビネット２０よりカバーされる。
【００１７】
このような構成の投射型映像装置においては、連結部材１４は、スクリーン３０の裏面に隠れる位置で、両端部をフレーム枠１１の後部に形成された袋部１２ｂに嵌合することにより、２本のフレーム枠１１を連結する。そのため、スクリーン３０と連結部材１４とは、前後方向に重なる。これにより、スクリーン３０の外周部でスクリーン３０と同一面上に連結部材１４が配設されることがないので、意匠ベゼル部１０ａの幅寸法Ｗ１を従来のものより小さくすることができる。
【００１８】
図４は比較するために示す従来の投射型映像装置のコーナー部の分解構成図である。図５は同じく比較するために示す従来の投射型映像装置の上部の部分的な断面図である。従来の投射型映像装置のフレーム５０においては、保持部１２ａ内に連結部材５４が配置されていた。これにより、スクリーン３０の外周部でスクリーン３０と同一面上に連結部材５４が配設されることとなり、意匠ベゼル部５０ａの幅寸法Ｗ２を本実施の形態のもののように小さくすることができなかった。
【００１９】
これに対して、本実施の形態の投射型映像装置においては、連結部材１４は、スクリーン３０の裏面に隠れる位置に配置されているので、連結部材１４がスクリーン３０と同一面上に連結部材１４が配設されることがなく、意匠ベゼル部１０ａの幅寸法Ｗ１を従来のものより小さくすることができる。
【００２０】
なお、本実施の形態の袋部１２ｂは、断面形状において、連結部材１４を完全に取り囲む閉じた形状を成すが、必ずしも閉じた形状である必要はなく、例えば、断面形状において連結部材１４の四辺にそれぞれ当接する突部形状を有するものなどであってもよい。すなわち、袋部１２ｂに連結部材１４に嵌合して位置を規制するものであればよい。ただし、閉じた形状とすることで、剛性の高い連結を実現することができる。また、本実施の形態の上辺のフレーム枠１１Ａと側辺のフレーム枠１１Ｂの断面形状は同じであるが、異なるものであってもかまわない。
【産業上の利用可能性】
【００２１】
以上のように、本発明にかかる投射型映像装置は、民生のＴＶや業務用ディスプレイ等に適している。
【図面の簡単な説明】
【００２２】
【図１】本発明の投射型映像装置の実施の形態を示すコーナー部の斜視図である。
【図２】投射型映像装置のフレームのコーナー部の分解構成図である。
【図３】投射型映像装置の上部の部分的な断面図である。
【図４】従来の投射型映像装置のコーナー部の分解構成図である。
【図５】従来の投射型映像装置の上部の部分的な断面図である。
【符号の説明】
【００２３】
１０  フレーム
１０ａ  意匠ベゼル部
１１  フレーム枠
１１Ａ  上辺のフレーム枠
１１Ｂ  側辺のフレーム枠
１２  主フレーム枠
１２ａ  保持部
１２ｂ  袋部
１３  保持部材
１４  連結部材
１５    ネジ
２０  キャビネット
３０  スクリーン
５０  従来のフレーム
５０ａ  従来の意匠ベゼル部
５４  従来の連結部材
Ｗ１  意匠ベゼル部の幅寸法
Ｗ２  従来の意匠ベゼル部の幅寸法
【図１】
2010039084.tif 000003
【図２】
2010039084.tif 000004
【図３】
2010039084.tif 000005
【図４】
2010039084.tif 000006
【図５】
2010039084.tif 000007